(57)【要約】【課題】枠組足場の先行手摺枠として、下部固定金具を下段側建枠の脚柱にしっかりと確実に固定でき、ハンマーやスパナ等の工具を必要とせず、手によるワンタッチ操作のみで極めて容易に且つ迅速に操作できるもの提供する。【解決手段】下部固定金具２Ｂは、抱持枠２１の先部２１ａ側が脚柱５１に嵌合して当該脚柱５１を抱持し、該抱持枠２１に抱持された当該脚柱５１を離脱不能にするロックピン２２Ｂと、該ロックピン２２Ｂの水平軸部２２ｅを挿通させる透孔２６ａを有する第一支持片２６と、該ロックピン２２Ｂの基端部２２ｆを所定の回転姿勢でのみ通過させ得る切込み溝２７ａを有する第二支持片２７とを有し、前記ロックピン２２Ｂは、異形先端部２２ｄが前記抱持枠２１に設けられた掛止穴２５に挿嵌掛止すると共に、基端部２２ｆが前記両支持片２６，２７間に前記切込み溝２７ａを通過できない姿勢で配置されロックされる。【選択図】図１１
2013076317.tif 000002
【特許請求の範囲】
【請求項１】
一対の脚柱が上端部で横架材により連結された建枠を対向させ、両建枠の横架材間に足場板を架け渡しながら多段状に組み立てる枠組足場において、両建枠の対向する脚柱間に取り付けられる先行手摺枠であって、
先行手摺枠本体と、該先行手摺枠本体に設けられ、且つ、下段側建枠の脚柱の上部側に固定される下部固定金具とを有し、
前記下部固定金具は、基端側が前記先行手摺枠本体に設けられると共に、先端側が前記脚柱に嵌合し当該脚柱を抱持する抱持枠と、該抱持枠に抱持された当該脚柱を離脱不能にするロックピンと、前記抱持枠に設けられ、且つ、該ロックピンの軸部を挿通させる透孔を有する第一支持片と、該第一支持片よりも前記抱持枠の基端側に設けられ、且つ、前記ロックピンの基端部を所定の回転姿勢でのみ通過させ得る切込み溝を有する第二支持片とを有し、
前記ロックピンは、先端部が前記抱持枠に設けられた掛止穴に挿嵌掛止すると共に、基端部が前記両支持片間に前記切込み溝を通過できない姿勢で配置されるロック姿勢と、先端部が前記掛止穴から離間して前記抱持枠に対する前記建枠の脚柱の出入りを可能にすると共に、前記軸部が前記透孔及び前記切込み溝に挿通する非ロック姿勢とに転換可能であることを特徴とする枠組足場の先行手摺枠。
【請求項２】
前記ロックピンは、先端部に異形先端部を有し、
前記掛止穴は、前記ロックピンが前記所定の回転姿勢でのみ、前記異形先端部を通過させ得る形状であり、
前記ロックピンをロック姿勢にするにあたって、前記所定の回転姿勢で前記ロックピンの異形先端部を前記掛止穴に挿通させると、当該ロックピンの自重で前記異形先端部が当該掛止穴から抜脱不能なロック姿勢となる請求項１に記載の枠組足場の先行手摺枠。
【請求項３】
前記先行手摺枠本体には、幅木をねじ止めするための幅木取付部材が設けられてなる請求項１又は２に記載の枠組足場の先行手摺枠。
【請求項４】
前記先行手摺枠本体に設けられ、且つ、前記下段側建枠の横架材に掛止される位置決め金具をさらに有し、
前記下部固定金具及び前記位置決め金具の両側面には、先行手摺枠同士を積み重ねる際、当該先行手摺枠同士の重なり状態が乱れにくいように規制する掛止凸部が設けられてなる請求項１〜３の何れか１項に記載の枠組足場の先行手摺枠。
【発明の詳細な説明】
【技術分野】
【０００１】
本発明は、建設作業現場で多段状の枠組足場を構築する過程で、新設する上段側足場用の手摺として既設の下段側足場に前もって取り付ける先行手摺枠に関する。
【背景技術】
【０００２】
枠組足場として、一対の脚柱が上端部で横架材により連結された門形の建枠を対向させ、両建枠の横架材間に足場板を架け渡しながら、下位側から順次多段状に組み上げてゆく方式が多用されている。そして、この枠組足場の組み立てにおいて、既設の下段側足場上で新設の上段側足場を組み付ける際、その作業の安全性を確保するために、上段側足場の組み付けに先行して、下段側足場の脚柱間に上段側足場の手摺とする先行手摺枠を取り付けることが広く行われている。
【０００３】
このような先行手摺枠としては、下段側足場の脚柱間の上部に取り付けた状態でそのまま上段側足場の手摺となる据置き型の他、リンクの屈伸やガイドローラを介した昇降によって上下段の建枠間に移設できるようにした移設型等もあるが、移設型は構造的に複雑で製作コストが高く付く上に移設作業に手間を要するという難点がある。
【０００４】
一般的に、据置き型の先行手摺枠は、左右縦杆と上下横杆及び中桟によって略矩形枠状の手摺本体が構成され、該手摺本体の左右両側部にそれぞれ、上下部の固定金具と、中間の下部寄り位置で外側へ張出する位置決め金具とが設けてある。そして、枠組足場への取り付けは、既設の下段側足場上で、作業者が該手摺枠を上下を逆にして保持し、左右両側の位置決め金具を対向する下段側建枠の横架材上に載せることにより、手摺枠全体を両建枠に支承させ、この支承状態で手摺本体を反転させて本来の起立姿勢とし、この起立姿勢で下部固定金具を下段側建枠の脚柱の上部側に固定する。これにより、先行手摺枠が上段側の手摺となるから、次に対向する下段側建枠の横架材間に上段側の足場板を架け渡し、この上段側の足場板上に登った作業者は、該手摺枠に安全帯のフックを繋ぎ留めて身の安全を確保した状態で、上段側足場の組付け作業を行える。なお、上段側足場の組付け作業では、まず下段側建枠上に上段側建枠を継ぎ足して連結し、この上段側建枠の脚柱に先行手摺枠の上部固定金具を固定し、次に該上段側建枠の脚柱間にブレースをＸ状に掛張し、更に前記同様にして次位の先行手摺枠の取り付けを行うことになる。
【０００５】
このような据置き型の先行手摺枠における上下部の固定金具として、様々な構造及び形状のものが採用されている。しかるに、特に下部固定金具については、上段側建枠の脚柱に対する上部固定金具の固定が完了するまでの間、位置決め金具と協動して手摺本体の下部側だけの固定力で手摺としての取付強度を担うことになるから、下段側建枠の脚柱に対してしっかりと確実に固定できる構造が必要である。
【０００６】
従来、この種の先行手摺枠の下部固定金具として、建枠の脚柱にＵ字状先端部を側方から嵌合させ、該先端部の開放側を楔形部材で閉鎖してロックする方式（特許文献１，２）、同様にＵ字状先端部を脚柱に嵌合し、その開放縁に螺挿した締付ボルトを脚柱に固定する方式（特許文献３）、建枠の脚柱に設けたポケット部に先端フック部を掛止する方式（特許文献４，５）等が汎用されている。
【先行技術文献】
【特許文献】
【０００７】
【特許文献１】特開平８−１８４１７７号公報
【特許文献２】特開２００５−１７１６４９号公報
【特許文献３】特開２００３−９７０５５号公報
【特許文献４】特開２００６−２９１４７３号公報
【特許文献５】特開２０１０−１９０７１号公報
【発明の開示】
【発明が解決しようとする課題】
【０００８】
しかしながら、前記従来の楔形部材によるロック方式では足場構築時及び解体時に該楔形部材を係脱するのにハンマー等を打ちつける必要があり、また締付ボルトによる固定方式でも該締付ボルトをスパナ等で捻回する必要があり、いずれにおいても操作に手間がかかる上、ハンマーやスパナ等の工具を携行することで作業者の負担が増すという問題があった。一方、先端フック部を掛止する方式では、建枠の脚柱にポケット部を構成する金具を溶接によって固着しておく必要がある上、該ポケット部の向き及び高さの精度も要求されるため、建枠の製造コストが非常に高く付くという問題があった。
【０００９】
本発明は、上述の事情に鑑みて、枠組足場の先行手摺枠として、下部固定金具を下段側建枠の脚柱にしっかりと確実に固定できる上、その固定及び固定解除に際し、ハンマーやスパナ等の工具を必要とせず、手によるワンタッチ操作のみで極めて容易に且つ迅速に操作できるもの提供することを目的とする。
【課題を解決するための手段】
【００１０】
上記課題を解決するための手段を図面の参照符号を付して示せば、請求項１に係る発明は、一対の脚柱５１，５１が上端部で横架材５２により連結された建枠５を対向させ、両建枠５，５の横架材５２，５２間に足場板６を架け渡しながら多段状に組み立てる枠組足場において、両建枠５，５の対向する脚柱５１，５１間に取り付けられる先行手摺枠Ｔ２であって、
先行手摺枠本体（手摺本体１）と、該先行手摺枠本体（手摺本体１）に設けられ、且つ、下段側建枠５Ａの脚柱５１の上部側に固定される下部固定金具２Ｂとを有し、
前記下部固定金具２Ｂは、基端（基部２１ｂ）側が前記先行手摺枠本体（手摺本体１）に設けられると共に、先端（先部２１ａ）側が前記脚柱５１に嵌合し当該脚柱５１を抱持する抱持枠２１と、該抱持枠２１に抱持された当該脚柱５１を離脱不能にするロックピン２２Ｂと、前記抱持枠２１に設けられ、且つ、該ロックピン２２Ｂの軸部（水平軸部２２ｅ）を挿通させる透孔２６ａを有する第一支持片２６と、該第一支持片２６よりも前記抱持枠２１の基端（基部２１ｂ）側に設けられ、且つ、前記ロックピン２２Ｂの基端部２２ｆを所定の回転姿勢でのみ通過させ得る切込み溝２７ａを有する第二支持片２７とを有し、
前記ロックピン２２Ｂは、先端部（異形先端部２２ｄ）が前記抱持枠２１に設けられた掛止穴２５に挿嵌掛止すると共に、基端部２２ｆが前記両支持片２６，２７間に前記切込み溝２７ａを通過できない姿勢で配置されるロック姿勢と、先端部（異形先端部２２ｄ）が前記掛止穴２５から離間して前記抱持枠２１に対する前記建枠５Ａの脚柱５１の出入りを可能にすると共に、前記軸部（水平軸部２２ｅ）が前記透孔２６ａ及び前記切込み溝２７ａに挿通する非ロック姿勢とに転換可能であることを特徴としている。
【００１１】
請求項２の発明は、上記請求項１に記載の枠組足場の先行手摺枠Ｔ２において、前記ロックピン２２Ｂは、先端部に異形先端部２２ｄを有し、
前記掛止穴２５は、前記ロックピン２２Ｂが前記所定の回転姿勢でのみ、前記異形先端部２２ｄを通過させ得る形状であり、
前記ロックピン２２Ｂをロック姿勢にするにあたって、前記所定の回転姿勢で前記ロックピン２２Ｂの異形先端部２２ｄを前記掛止穴２５に挿通させると、当該ロックピン２２Ｂの自重で前記異形先端部２２ｄが当該掛止穴２５から抜脱不能なロック姿勢となるものとしている。
【００１２】
請求項３の発明は、上記請求項１又は２に記載の枠組足場の先行手摺枠Ｔ１，Ｔ２において、前記先行手摺枠本体（手摺本体１）には、幅木８をねじ止めするための幅木取付部材７が設けられてなるものとしている。
【００１３】
請求項４の発明は、上記請求項１〜３の何れか１項に記載の枠組足場の先行手摺枠Ｔ１において、前記先行手摺枠本体（手摺本体１）に設けられ、且つ、前記下段側建枠５Ａの横架材５２に掛止される位置決め金具４をさらに有し、
前記下部固定金具２Ａ及び前記位置決め金具４の両側面には、先行手摺枠Ｔ１同士を積み重ねる際、当該先行手摺枠Ｔ１同士の重なり状態が乱れにくいように規制する掛止凸部１５ａ，１５ｂが設けられてなるものとしている。
【発明の効果】
【００１４】
以下に、本発明の効果について、図面の参照符号を付して説明する。まず、請求項１の発明に係る先行手摺枠Ｔ２では、下部固定金具２Ｂは、ロックピン２２Ｂのロック姿勢において、当該ロックピン２２Ｂの基端部２２ｆが第一支持片２６と第二支持片２７との間に配置され、該基端部２２ｆが第二支持片２７の切込み溝２７ａを通過できない姿勢で配置されるから、下段側建枠５Ａの脚柱５１に固定した状態で振動や衝撃等が加わっても、当該ロックピン２２Ｂが不用意にロック解除されることがない。これにより、下部固定金具２Ｂを下段側建枠５Ａの脚柱５１にしっかりと確実に固定できる。また、その固定操作に際し、下部固定金具２Ｂの抱持枠２１を脚柱５１に嵌合させ、ロックピン２２Ｂの先端部（異形先端部２２ｄ）を抱持枠２１に設けられた掛止穴２５に挿嵌掛止させ、基端部２２ｆを第一支持片２６と第二支持片２７との間に配置し、該基端部２２ｆを第二支持片２７の切込み溝２７ａを通過できない姿勢で配置するだけでよいから、ハンマーやスパナ等の工具を必要とせず、手によるワンタッチ操作のみで極めて容易に且つ迅速に操作を行うことができる。さらに、ロック解除する際、ロックピン２２Ｂの先端部（異形先端部２２ｄ）を掛止穴２５から離間させ、軸部（水平軸部２２ｅ）を透孔２６ａ及び切込み溝２７ａに挿通させるだけでよいから、やはり工具を用いずにワンタッチ操作のみで脚柱５１から簡単に離脱させることができる。
【００１５】
請求項２に係る発明によれば、ロックピン２２Ｂは、先端部に異形先端部２２ｄを有し、前記掛止穴２５は、前記ロックピン２２Ｂが前記所定の回転姿勢でのみ、当該ロックピン２２Ｂの異形先端部２２ｄを通過させ得る形状からなる。これにより、当該掛止穴２５に異形先端部２２ｄを挿通したロックピン２２Ｂは、自重によって、自動的に異形先端部２２ｄが当該掛止穴２５から抜脱不能なロック姿勢になる。
【００１６】
請求項３に係る発明によれば、幅木取付部材７を設けているから、この幅木取付部材７を利用して下段側足場の幅木８をねじ止めすることができる。また、この幅木取付部材７によって先行手摺枠全体としての強度及び耐久性も向上する。
【００１７】
請求項４に係る発明によれば、保管や輸送等で先行手摺枠Ｔ１・・・同士を積み重ねる際、下部固定金具２Ａ及び位置決め金具４の両側面には、先行手摺枠同士の重なり状態が乱れにくいように規制する掛止凸部１５ａ，１５ｂが設けられているから、この掛止凸部１５ａ，１５ｂを利用することにより、先行手摺枠Ｔ１・・・同士の重なり状態が乱れにくいように規制することができる。
【図面の簡単な説明】
【００１８】
【図１】本発明に係る枠組足場の先行手摺枠の取付手順を示す概略斜視図であり、（ａ）は下段側建枠への取付状態、（ｂ）は上段側建枠への固定状態である。
【図２】本発明に係る第一実施形態の先行手摺枠の正面図である。
【図３】同先行手摺枠の下部固定金具を示す斜視図であり、（ａ）は固定解除の状態、（ｂ）は固定状態である。
【図４】同下部固定金具の補剛材付き建枠に対する取付操作を説明するものであり、（ａ）は取付位置を示す側面図、（ｂ）はロックピンのロック状態の横断平面図、（ｃ）はロック前のロックピンを傾けた状態を示す正面図、（ｄ）は（ｂ）のＸ−Ｘ線の断面矢視図である。
【図５】第一実施形態の先行手摺枠における上部固定金具の斜視図であり、（ａ）は不使用状態、（ｂ）は使用状態を示す。
【図６】同上部固定金具の変位操作を示し、（ａ）は側面図、（ｂ）は（ａ）のＹ−Ｙ線の断面矢視図である。
【図７】対向する下段側建枠間に同先行手摺枠と幅木及び足場板を取り付けた状態を示し、（ａ）は横断平面図、（ｂ）は背面図である。
【図８】第一実施形態の先行手摺枠の位置決め金具及び幅木取付部材を示す斜視図であり、（ａ）は建枠の片側に先行手摺枠が配置した状態、（ｂ）は建枠の両側に先行手摺枠が配置した状態である。
【図９】同先行手摺枠に幅木をねじ止めした状態を示す縦断側面図である。
【図１０】本発明に係る第二実施形態の先行手摺枠の正面図である。
【図１１】同先行手摺枠の下部固定金具を示す斜視図であり、（ａ）は固定解除の状態、（ｂ）は固定状態である。
【図１２】同下部固定金具のロックピンのロック操作を段階的に示し、（ａ１）〜（ａ３）は金具全体の横断平面図、（ｂ１）〜（ｂ３）は掛止穴部分の側面図、（ｃ１）〜（ｃ３）は金具全体の正面図である。
【図１３】第二実施形態の先行手摺枠における上部固定金具の斜視図であり、（ａ）は不使用状態、（ｂ）は使用状態を示す。
【図１４】同上部固定金具の変位操作を示し、（ａ）は平面図、（ｂ）は正面図、（ｃ）は（ｂ）のＺ−Ｚ線の断面矢視図である。
【図１５】第一実施形態の先行手摺枠同士を千鳥配置で積み重ねる状態を示し、（ａ）は平面図、（ｂ）は上部固定金具位置での縦断面図、（ｃ）は位置決め金具位置での縦断面図である。
【図１６】第一実施形態の先行手摺枠同士を上下交互配置で積み重ねる状態を示し、（ａ）は平面図、（ｂ）は上部固定金具位置での縦断面図、（ｃ）は位置決め金具位置での縦断面図である。
【発明を実施するための形態】
【００１９】
以下に、本発明に係る枠組足場の先行手摺枠の実施形態について、図面を参照して具体的に説明する。図２〜図９は第一実施形態の先行手摺枠Ｔ１、図１０〜図１４は第二実施形態の先行手摺枠Ｔ２を示す。なお、枠組足場は、図１で示すように、一対の脚柱５１，５１、これらの上端部をつなぐ横架材５２、補強枠５３よりなる門形の建枠５を一定間隔に対向配置し、両建枠５，５の対向する横架材５２，５２間に足場板６を架け渡すと共に、両脚柱５１，５１間に一対のブレース９，９をＸ形に架け渡しながら順次多段状に組み立てられるようになっている。
【００２０】
第一実施形態の先行手摺枠Ｔ１は、図１、特に図２に示すように、それぞれ鋼管からなる左右縦杆１１，１１、上下横杆１２，１３、横中桟１４ａ、縦中桟１４ｂ、１４ｂによって略矩形枠状の手摺本体１を構成している、そして、手摺本体１の左右両側部にそれぞれ、下端部に位置する下部固定金具２Ａと、上端部に位置する上部固定金具３Ａと、中間の下部寄りに位置する位置決め金具４と、位置決め金具４の真上に位置する幅木取付部材７とが設けられている。なお、上部固定金具３Ａ及び位置決め金具４は左右一対が同じ高さにあるが、下部固定金具２Ａは、隣接する先行手摺枠Ｔ１，Ｔ１同士で同じ下部建枠５Ａに対する取付位置を上下にずらすために、左右で異なる高さになっている。
【００２１】
下部固定金具２Ａは、図３に示すように、縦杆１１にリング状基端部２０ａを外嵌して溶接又はリベット止めで固着されて側方外部へ水平に張出した金具本体２０と、この金具本体２０に保持されたロックピン２２Ａとで構成されている。その金具本体２０は、先端側が平面視略Ｃ字状の抱持枠２１を形成し、該抱持枠２１の先部２１ａに上下方向に透通する掛止穴２３を有している。また、該抱持枠２１の基部２１ｂ側には上下方向に透通する平面視略コ字形のピン保持部２４が形成されており、その両端が掛止穴２３に対して遠近二か所の枢支部２４ａ，２４ｂを構成すると共に、中間部が両枢支部２４ａ，２４ｂを繋ぐガイド溝２４ｃとなっている。
【００２２】
一方、ロックピン２２Ａは、下向きの鉤形先端部２２ａ、平面視略Ｃ字形に湾曲した中間部２２ｂ、該中間部２２から下向きＬ字状に曲成した基端の枢軸部２２ｃよりなり、該枢軸部２２ｃを金具本体２０のピン保持部２４に挿通して水平旋回及び上下変位可能に枢支されている。そして、該ロックピン２２Ａは、枢軸部２２ｃが金具本体２０の枢支部２４ａ，２４ｂ間をガイド溝２４ｃを介して移動可能であり、掛止穴２３に対して近側の枢支部２４ａに枢軸部２２ｃが位置する状態で、図３（ｂ）の如く鉤形先端部２２ａが該掛止穴２３に挿嵌してロック姿勢になるように設定されている。また、該枢軸部２２ｃには圧縮コイルスプリング２８が下端に螺着した袋ナット２９と金具本体２０の下面との間に配置する形で装着されており、ロックピン２２Ａは該コイルスプリング２８のばね力によって鉤形先端部２２ａが掛止穴２３に対して挿嵌する方向つまりロック方向に付勢されている。
【００２３】
上部固定金具３Ａは、図５及び図６に示すように、手摺本体１の縦杆１１に跨嵌するコ字枠状本体部３０の先端側に凹形嵌合部３１が一体形成されており、コ字枠状本体部３０の基端側でボルト・ナットよりなる枢軸３５を介して該縦杆１１に枢着されており、側方外部へ水平に張出する使用姿勢と、凹形嵌合部３１を上向きにする垂直な不使用姿勢とに回動変位可能になっている。そして、凹形嵌合部３１はコ字枠状本体部３０よりも幅広で先端中央部が半円形に凹んだ形状になっており、上部固定金具３Ａの使用姿勢では、図５（ｂ）と図６（ａ）（ｂ）の仮想線で示すように、凹形嵌合部３１が上段側建枠５Ｂの脚柱５１の凸周面に嵌合するようになっている。
【００２４】
また、コ字枠状本体部３０の片側の側壁３０ａには外面側に板ばね３２が固着されており、この板ばね３２の曲折した先端部が該側壁３０ａの窓部３６から内面側へ入り込んで山形の突出部３２ａを形成している。そして、上部固定金具３Ａの回動変位の際、該板ばね３２の突出部３２ａが縦杆１１の側面と摺接して押し戻されつつ該側面を乗り越える形になり、図６（ｂ）で示すように、不使用姿勢での上部固定金具３Ａは該突出部３２ａが縦杆１１の後側で突出することで垂直に保持される。
【００２５】
位置決め金具４は、図７及び図８に示すように、そのリング状基端部４ａを縦杆１１に外嵌して溶接又はリベット止めで固着されることで、側方外部へ水平に張出している。そして、該位置決め金具４の先端部４ｂは、手摺り本体１の構面内側へ平面視Ｌ字形に曲折すると共に、図の仮想線で示す下段側建枠５Ａの横架材５２の半部に適嵌して載るように先端がフック形状になっている。なお、図８（ｂ）に示すように、一つの下段側建枠５Ａの横架材５２に対し、隣接する２基の先行手摺枠Ｔ１，Ｔ１の位置決め金具４，４が同じ位置で載ることになる。
【００２６】
幅木取付部材７は、図７及び図８に示すように、断面略Ｌ字形の枠材からなり、位置決め金具４の真上の位置において、Ｌ字形の片側の基片７ａを縦杆１１に溶接又はリベット止めで固着しており、側方外部へ張出した取付片７ｂに上下方向に並ぶ複数の取付孔７１・・が穿設されている。そして、図９に示すように、先行手摺枠Ｔ１には、左右両側の幅木取付部材７の取付孔７１に通したボルト・ナット７２を介して、下段側足場の幅木８が両端部で固定されるようになっている。
【００２７】
例示した幅木８は、アルミ中空型材からなる幅木本体８１の下縁に、アルミ型材からなる隙間塞ぎ板８２が折り重ね可能に枢着されており、その折畳み状態において図７で示す幅木本体８１の上縁要所に設けたフックピン８３を隙間塞ぎ板８２側の掛止孔（図示省略）に係合してロックするようになっている。その隙間塞ぎ板８２は、図７（ａ）に示すように、その先端縁８２ａが足場板６の側縁部６ａに載ることにより、該足場板６と先行手摺枠Ｔ１との隙間を塞ぐようになっている。なお、フックピン８３は、その取付枠８４内に介装したコイルスプリング８５によってロック方向に付勢されている。また、ボルト・ナット７２のナットは幅木本体８１の内側に配置するようにしている。
【００２８】
上記構成の先行手摺枠Ｔ１の枠組足場への取り付けは、既設の下段側足場上において作業者が該手摺枠Ｔ１を上下を逆にして保持し、左右両側の位置決め金具４，４を対向する下段側建枠５Ａ，５Ａの横架材５２，５２上に載せることにより、該手摺枠Ｔ１，Ｔ１の全体を両建枠５Ａ，５Ａに支承させ、この支承状態で手摺本体１を反転させて本来の起立姿勢とし、まず図１（ａ）に示すように、下部固定金具２Ａ，２Ａを脚柱５１，５１の上部側に固定する。これにより、先行手摺枠Ｔ１が上段側の手摺となるから、次に対向する下段側建枠５Ａ，５Ａの横架材５２，５２間に上段側の足場板６を架け渡し、この上段側の足場板６上に登った作業者は、該手摺枠Ｔ１に安全帯のフックを繋ぎ留めて身の安全を確保した状態で、上段側足場の組付け作業を行える。上段側足場の組付け作業では、図１（ｂ）に示すように、まず下段側建枠５Ａ，５Ａ上に上段側建枠５Ｂ，５Ｂを継ぎ足して連結し、この上段側建枠５Ｂ，５Ｂの脚柱５１，５１に先行手摺枠Ｔ１の上部固定金具３Ａ，３Ａを固定し、次に該上段側建枠５Ｂ，５Ｂの脚柱５１，５１間にブレース９，９をＸ状に掛張し、更に前記同様にして次段の先行手摺枠Ｔ１の取り付けを行い、以降同様にして枠組足場を組み上げてゆく。なお、図１では省略しているが、この先行手摺枠Ｔ１には図７及び図９に示すように幅木取付部材７を利用して下段側足場の幅木８を取り付けることになる。
【００２９】
しかして、この先行手摺枠Ｔ１では、全体を両側の位置決め金具４，４を介して両側の下段側建枠５Ａ，５Ａの横架材５２，５２に支承させた状態で、各下部固定金具２Ａを下段側建枠５Ａの脚柱５１にしっかりと確実に固定できる上、その固定操作に際し、図４及び図５に示すように、下部固定金具２Ａの抱持枠２１を脚柱５１に当てがう形で嵌合させ、ロックピン２２Ａの鉤形先端部２２ａを該抱持枠２１の掛止穴２３に挿嵌するだけでよいから、ハンマーやスパナ等の工具を必要とせず、手によるワンタッチ操作のみで極めて容易に且つ迅速に操作を行える。一方、足場解体時に先行手摺枠Ｔ１を取り外す場合でも、下部固定金具２Ａは、ロックピン２２Ａの鉤形先端部２２ａを掛止穴２３から抜出するだけでロック解除するから、やはり工具を用いずにワンタッチ操作のみで脚柱５１から簡単に離脱させることができる。また、上部固定金具３Ａも、上段側建枠５Ｂの脚柱５１に対する固定及び固定解除に際し、やはり工具を用いる必要はなく、手で回動変位させるだけのワンタッチ操作により、使用状態と不使用状態との転換を極めて容易に且つ迅速に行える。そして、この先行手摺枠Ｔ１を用いる場合、建枠５の脚柱５１側には手摺枠固定用の各別な機能部を付設する必要がないから、該建枠５を低コストで製作できるという利点もある。
【００３０】
更に、下部固定金具２Ａは、ロックピン２２Ａの枢軸部２２ｃに介装された圧縮コイルスプリング２８により、該ロックピン２２Ａが掛止穴２３に対する挿嵌方向に付勢されているから、下段側建枠５Ａの脚柱５１に固定した状態で振動や衝撃等が加わっても、該ロックピン２２Ａが不用意にロック解除されることがない。また、非ロック状態でのロックピン２２Ａは抱持枠２１の開放部から遠ざかる位置まで旋回させ、その位置でばね力によって安定に保持できるから、下部固定金具２Ａを脚柱５１に取り付ける際、該脚柱５１を抱持枠２１に嵌合させるのにロックピン２２Ａが邪魔になるのを防止できる。
【００３１】
しかも、該ロックピン２２Ａは、その枢軸部２２ｃを掛止穴２３に対する遠近二か所の枢支部２４ａ，２４ｂ間を移動できるから、例えば図４（ａ）で示すように、下段側建枠５Ａの脚柱５１における下部固定金具２Ａの取付位置がアーチ状の補剛材５４等で狭くなり、定点の枢支部ではロックピン２２Ａを旋回できない場合にでも対応できる。すなわち、図４（ｂ）に示すように、ロックピン２２Ａの枢軸部２２ｃを遠方側の枢支部２４ｂに位置させた状態で、先端部２２ａが掛止穴２３に近づくように予め旋回させると共に、図４（ｃ）の如くガイド溝２４ｃを利用して該ロックピン２２Ａを傾け、その状態で枢軸部２２ｃを近側の枢支部２４ａへ移動させ、もって補剛材５４等をかわして図４（ｄ）の如く先端部２２ａを掛止穴２３に挿嵌することが可能となる。
【００３２】
次に第二実施形態の先行手摺枠Ｔ２について説明するが、この第二実施形態において既述の第一実施形態と共通する部分には同一符号を附しており、その共通部分について第一実施形態で述べた点の説明は省略する。
【００３３】
第二実施形態の先行手摺枠Ｔ２は、図１０に示すように、それぞれ鋼管からなる左右縦杆１１，１１、上下横杆１２，１３、横中桟１４ａ、縦中桟１４ｂ、１４ｂによって略矩形枠状の手摺本体１を構成しているが、その左右上端が角張った形になっている。そして、手摺本体１の左右両側部にそれぞれ、下端部に位置する下部固定金具２Ｂと、上端部に位置する上部固定金具３Ｂと、中間の下部寄りに位置する位置決め金具４と、位置決め金具４の真上に位置する幅木取付部材７とが設けられている。なお、位置決め金具４及び幅木取付部材７は、前記第一実施形態と同じものになっている。
【００３４】
下部固定金具２Ｂは、図１１に示すように、縦杆１１にリング状基端部２０ａを外嵌して溶接又はリベット止めで固着されて側方外部へ水平に張出した金具本体２０と、この金具本体２０に保持されたロックピン２２Ｂとで構成されている。その金具本体２０は、第一実施形態と同様に先端側が平面視略Ｃ字状の抱持枠２１を形成しているが、該抱持枠２１の先部２１ａには水平方向に透通する掛止穴２５を有している。この掛止穴２５は円孔部２５ａの上下に縦溝２５ｂ，２５ｂが連通した形になっている。
【００３５】
ロックピン２２Ｂは、偏平な異形先端部２２ｄと、直線状の水平軸部２２ｅと、該水平軸部２２ｅの後端からＬ字形に曲折した基端部２２ｆとからなり、抱持枠２１の基部２１ｂ側に軸方向移動可能で且つ周方向回転可能に保持されている。その異形先端部２２ｄは、ロックピン２２Ｂが基端部２２ｆを横向き（水平方向）にした回転姿勢において垂直になり、その垂直状態でのみ掛止穴２５に透通可能になるように設定されている。また、抱持枠２１の基部２１ｂ側には、ロックピン２２Ｂの水平軸部２２ｅを挿通させる透孔２６ａを有する第一支持片２６と、該第一支持片２６よりも金具基端側に位置し、ロックピン２２Ｂが基端部２２ｆを横向きにした回転姿勢でのみ通過させ得る切込み溝２７ａを有する第二支持片２７とが形成されている。
【００３６】
非ロック姿勢でのロックピン２２Ｂは、図１２（ａ１）（ｂ１）（ｃ１）の如く水平軸部２２ｅが透孔２６ａ及び切込み溝２７ａに挿通し、基端部２２ｆが第二支持片２７の後側で下向きになっている。そして、このロックピン２２Ｂをロック姿勢にするには、まず基端部２２ｆを持ち上げて横向きにし、そのまま前進させれば、図１２（ａ２）（ｂ２）（ｃ２）の如く基端部２２ｆが第二支持片２７の切込み溝２７ａを通過し、垂直になった異形先端部２２ｄも掛止穴２５に進入可能となる。従って、更に前進させて該異形先端部２２ｄが掛止穴２５の外側へ突出した状態とすれば、図１２（ａ３）（ｂ３）（ｃ３）で示すように、該ロックピン２２Ｂは自重で基端部２２ｆを下向きとする回転姿勢に変位し、異形先端部２２ｄが該掛止穴２５から抜脱不能なロック姿勢になる。このロック姿勢では、下向きになった基端部２２ｆが第一支持片２６と第二支持片２７との間に配置することになる。
【００３７】
上部固定金具３Ｂは、図１３に示すように、コ字枠状本体部３０の先端側に凹形嵌合部３１が一体形成されており、凹側を下向きにしたコ字枠状本体部３０が手摺本体１における上部横桟１２の端部１２ａに進退変位可能に跨嵌し、同図（ｂ）の如く側方外部へ張出して凹形嵌合部３１を上段側建枠５Ｂの脚柱５１の凸周面に付き当てる使用姿勢と、同図（ａ）の如く手摺本体１の内方側へ退行した不使用姿勢とに転換する。しかして、コ字枠状本体部３０の上面３０ａの前後両側には掛止孔３３ａ，３３ｂが形成され、上部横桟１２側に設けたＵ字状の板ばね３４の掛止凸部３４ａが、使用姿勢で前側掛止孔３３ａに、不使用姿勢で後側掛止孔３３ｂに、それぞれ内側から嵌合して両姿勢を保持するように構成されている。
【００３８】
また、コ字枠状本体部３０の両側面３０ｂ，３０ｂには水平方向に沿う長孔３５、３５が形成され、上部横桟１２側に設けたボルト・ナットからなる２本のガイドピン３６，３６が各々両長孔３５、３５に挿通している。これにより、上部固定金具３Ｂが上部横桟１２に離脱不能に保持されると共に、両ガイドピン３６，３６が各々ストッパーとして上部固定金具３Ｂの進退移動の前後限位置を規定している。
【００３９】
上記構成の先行手摺枠Ｔ２の枠組足場への取り付けは、既述した第一実施形態の先行手摺枠Ｔ１の場合と全く同様の手順で行えばよい。しかして、この先行手摺枠Ｔ２でも、全体を両側の位置決め金具４，４を介して両側の下段側建枠５Ａ，５Ａの横架材５２，５２に支承させた状態で、各下部固定金具２Ｂを下段側建枠５Ａの脚柱５１にしっかりと確実に固定できる上、その固定操作に際し、下部固定金具２Ｂの抱持枠２１を脚柱５１に当てがう形で嵌合させ、ロックピン２２Ｂの異形先端部２２ｄを該抱持枠２１の掛止穴２５に挿嵌するだけでよいから、ハンマーやスパナ等の工具を必要とせず、手によるワンタッチ操作のみで極めて容易に且つ迅速に操作を行える。また、足場解体時に先行手摺枠Ｔ２を取り外す場合でも、下部固定金具２Ｂは、ロックピン２２Ｂを基端部２２ｆが横向きになるようにして、その異形先端部２２ｄを掛止穴２３から抜出するだけでロック解除するから、やはり工具を用いずにワンタッチ操作のみで脚柱５１から簡単に離脱させることができる。また、上部固定金具３Ｂも、上段側建枠５Ｂの脚柱５１に対する固定及び固定解除に際し、やはり工具を用いる必要はなく、手で前後にスライドさせるだけのワンタッチ操作により、使用状態と不使用状態との転換を極めて容易に且つ迅速に行える。更に、第一実施形態と同様に、この先行手摺枠Ｔ２を用いることで、建枠５の脚柱５１側には手摺取付用の各別な機能部は不要になる。
【００４０】
更に、この第二実施形態における下部固定金具２Ｂでは、ロックピン２２Ｂの基端部２２ｆが自重で下向きになっている場合、その異形先端部２２ｄが掛止穴２５を通過できず、更にロックピン２２Ｂのロック姿勢において基端部２２ｆが金具本体２０の第一支持片２６と第二支持片２７との間に配置し、該基端部２２ｆが下向きになった状態では第二支持片２７の切込み溝２７ａを通過できないため、下段側建枠５Ａの脚柱５１に固定した状態で振動や衝撃等が加わっても、該ロックピン２２Ｂが不用意にロック解除されることがない。
【００４１】
なお、上記第一及び第二実施形態の先行手摺枠Ｔ１に用いた下部固定金具２Ａ，２Ｂと上部固定金具３Ａ，３Ｂは、下部固定金具２Ａと上部固定金具３Ｂの組み合わせや、下部固定金具２Ｂと上部固定金具３Ａの組み合わせにしてもよい。また、位置決め金具４を含めた各金具の細部構成については、実施形態以外に種々設計変更可能である。
【００４２】
ところで、これら先行手摺枠Ｔ１，Ｔ２は、運搬や保管の際に上下に積み重ねるのが一般的であるが、積み重ねた状態から崩れるのを防ぐ上で、乱れなく積み重ねできることが望ましい。このような目的で、前記第一実施形態の構成に一部改良を加えた先行手摺枠Ｔ１・・同士の積み重ね形態を、図１５及び図１６に例示する。
【００４３】
図１５は、先行手摺枠Ｔ１・・同士を千鳥配置で積み重ねる状態を示している。この場合、下部固定金具２Ａの金具本体２０の両側面と位置決め金具４の両側面には、縦杆１１からやや離間した同じ位置に上下方向に連続した掛止凸部１５ａが設けてある。これにより、同図（ａ）の如く先行手摺枠Ｔ１・・同士を交互に斜めにずらす千鳥配置で積み重ねる場合に、同図（ｂ）（ｃ）の如く上下両側の先行手摺枠Ｔ１，Ｔ１に挟まれる中間の先行手摺枠Ｔ１は、その縦杆１１の内側両縁部に、上下の先行手摺枠Ｔ１，Ｔ１の掛止凸部１５ａ，１５ａが係合する形にでき、この状態では該縦杆１１が上下の先行手摺枠Ｔ１，Ｔ１の縦杆１１，１１に接近する方向には移動不能になるため、乱れにくい積み重ね状態にすることができる。なお、下部固定金具２Ａ・・同士や上部固定金具３Ａ・・同士は、千鳥配置で互いの位置がずれるので、相互に干渉する懸念はない。また、特にこの例示形態では、図１５（ｃ）から明らかなように、位置決め金具４の先端側の曲がりにより、挟まれた先行手摺枠Ｔ１の縦杆１１が外側へずれるのも防止される。
【００４４】
図１６は、先行手摺枠Ｔ１・・同士を上下が逆になるように順次反転させる上下交互配置で積み重ねる状態を示している。この場合、下部固定金具２Ａの金具本体２０の両側面と位置決め金具４の両側面には、前記千鳥配置で設けた掛止凸部１５ａに加えて、更に基端寄りに位置して同様に上下方向に連続した掛止凸部１５ｂが設けてある。これにより，同図（ａ）の如く先行手摺枠Ｔ１・・同士を上下交互配置で積み重ねる場合に、同図（ｂ）（ｃ）の如く上下両側の先行手摺枠Ｔ１，Ｔ１に挟まれる中間の先行手摺枠Ｔ１は、その縦杆１１の外側両縁部に、上下の先行手摺枠Ｔ１，Ｔ１の掛止凸部１５ｂ，１５ｂが係合する形になり、もって該縦杆１１が上下の先行手摺枠Ｔ１，Ｔ１の縦杆１１，１１に対する上下位置がずれにくくなるため、乱れにくい積み重ね状態にすることができる。この場合でも、下部固定金具２Ａ・・同士や上部固定金具３Ａ・・同士は、手摺本体１の交互反転で互いの位置がずれるので、相互に干渉する懸念はない。
【００４５】
本発明に係る枠組足場の先行手摺枠は、下部固定金具におけるロックピンの曲げ形状及び保持構造、該ロックピンが異形先端部を有する場合の該異形先端部の形状と掛止穴の孔形状、上部固定金具の回動変位や進退変位のための組付け構造、手摺本体１の中桟の形態及び配置等、細部構成については実施形態以外に種々設計変更可能である。
【符号の説明】
【００４６】
１              手摺本体（先行手摺枠本体）
１１            縦杆
１２            上部横杆
１２ａ          端部
１３            下部横杆
１４ａ          横中桟
１４ｂ          縦中桟
１５ａ，１５ｂ  掛止凸部
２Ａ，２Ｂ      下部固定金具
２１            抱持枠
２１ａ          先部（先端）
２１ｂ          基部（基端）
２２Ａ，２２Ｂ  ロックピン
２２ａ          鉤形先端部
２２ｄ          異形先端部（先端部）
２２ｅ          水平軸部（軸部）
２２ｆ          基端部
２３，２５      掛止穴
２４ａ，２４ｂ  枢支部
２６            第一支持片
２６ａ          透孔
２７            第二支持片
２７ａ          切込み溝
２８            圧縮コイルスプリング
３Ａ，３Ｂ      上部固定金具
３０            コ字枠状本体部（上部固定金具本体）
３０ａ          側壁
３１            凹形嵌合部
３２            板ばね
３２ａ          突出部
３３ａ          前側掛止孔（前掛止孔）
３３ｂ          後側掛止孔（後掛止孔）
３４            板ばね
３４ａ          掛止凸部
４              位置決め金具
５              建枠
５Ａ            下段側建枠
５Ｂ            上段側建枠
５１            脚柱
５２            横架材
６              足場板
７              幅木取付部材
８              幅木
Ｔ１，Ｔ２      先行手摺枠
【図１】
2013076317.tif 000003
【図２】
2013076317.tif 000004
【図３】
2013076317.tif 000005
【図４】
2013076317.tif 000006
【図５】
2013076317.tif 000007
【図６】
2013076317.tif 000008
【図７】
2013076317.tif 000009
【図８】
2013076317.tif 000010
【図９】
2013076317.tif 000011
【図１０】
2013076317.tif 000012
【図１１】
2013076317.tif 000013
【図１２】
2013076317.tif 000014
【図１３】
2013076317.tif 000015
【図１４】
2013076317.tif 000016
【図１５】
2013076317.tif 000017
【図１６】
2013076317.tif 000018